(57)【要約】【課題】性交時に子宮に対し陰茎により過度な物理的な刺激が与えられることを防止するための手軽かつ確実な手段を提供する。【解決手段】性交補助器具１は、シリコン樹脂の環状体であり、陰茎の挿入を受容する孔１１を内側に有する。性交補助器具１の外径Ｄは孔１１の内径ｄよりも例えば１．５ｃｍ長い。また、性交補助器具１の厚さは例えば１ｃｍである。孔１１の内側面上には装着時における尿道の圧迫を回避するための溝１２が設けられている。性交補助器具１の両端面の各々の上には凸部１３および凹部１４が設けられ、隣接して配置された２個の性交補助器具１の凸部１３および凹部１４が互いに係合し、それらの性交補助器具１の連結が行われる。ユーザは連結により厚さを調節した性交補助器具１を陰茎に装着することで、性交補助器具１により陰茎の膣に対する挿入の深さを制限し、陰茎の先端による子宮に対する望ましくない衝突を防止することができる。【選択図】図１
2012139440.tif 000002
【特許請求の範囲】
【請求項１】
性交時に陰茎の外側面上に装着される全周が連続した、もしくは全周の一部が不連続の環状体であって、
前記環状体は装着時における前記陰茎の長手方向の長さが最大の部分において１センチメートル以上であり、当該長手方向と垂直な方向における外縁の幅と前記陰茎の挿入を受容する孔の縁部である内縁の幅との差が最大の部分において１．５センチメートル以上である
性交補助器具。
【請求項２】
前記環状体は中空部を有する弾性体を少なくとも一部に備え、
前記中空部に空気が圧入されることにより膨張し、前記陰茎の挿入を受容する孔の直径が変化する
請求項１に記載の性交補助器具。
【請求項３】
前記環状体は環状の弾性体と、前記環状の弾性体の外周上に配置されたベルトとを備え、
前記ベルトは周方向の長さを変更することにより前記環状の弾性体を外側から締め付ける締め付け機構を備える
請求項１に記載の性交補助器具。
【請求項４】
全周の一部が不連続となるような切れ目を有する環状体である
請求項１乃至３のいずれかに記載の性交補助器具。
【請求項５】
前記陰茎の挿入を受容する孔の壁面である内側面上に、前記長手方向に延伸する溝を有する
請求項１乃至３のいずれかに記載の性交補助器具。
【請求項６】
前記長手方向に垂直な２つの端面のうち少なくとも一方の端面上に１以上の凸部または１以上の凹部を有する
請求項１乃至５のいずれかに記載の性交補助器具。
【請求項７】
前記長手方向に垂直な２つの端面の各々の上に１以上の凸部または１以上の凹部を有し、
前記２つの端面のうちの一の端面上に配置されている前記１以上の凸部または１以上の凹部は、当該一の端面に対向する位置に隣接して配置される同一形状の性交補助器具が有する端面上に配置されている１以上の凸部または１以上の凹部と互いに係合する形状および配置を有する
請求項６に記載の性交補助器具。
【請求項８】
一方の端部が開口し他方の端部が閉鎖されたチューブ状の弾性体であり、性交時に陰茎の先端部から根元方向に向かう所定の長さの領域を覆うように装着されるサック部と、
前記陰茎に装着された状態の前記サック部の外側面上に連結された請求項１乃至６のいずれかに記載の性交補助器具と
を備える避妊器具。
【請求項９】
前記性交補助器具が、前記サック部の前記閉鎖された端部から所定距離だけ離れた位置において前記サック部に連結されている
請求項８に記載の避妊器具。
【発明の詳細な説明】
【技術分野】
【０００１】
本発明は、男女の性交時に男性器に装着して用いられる器具に関する。
【背景技術】
【０００２】
男女の性交時において、男性器の陰茎の長さに対し女性器の膣の長さが短いと、陰茎の先端が子宮口にあたり、場合によっては子宮内に陰茎の一部が到達してしまう。そのため、子宮が損傷を受けたり、子宮内に望ましくない細菌が入り込んだり、という問題を生じる危険性がある。特に女性が妊娠中の場合、子宮口に対する物理的な刺激や、精液に含まれるプロスタグランディン等の物質による生理学的な反応により、子宮が収縮しやすくなり、切迫早産が誘発されるなど、人命に関わる深刻な問題を招く場合もある。
【０００３】
上記の事情に対し、例えば妊娠中の性行為をなるべく控える、またはコンドームを用いて精液による子宮の収縮を回避する、といったことが行われている。
【０００４】
なお、後述する本願にかかる性交補助器具とはその解決しようとする課題が全く異なるが、本願発明にかかる性交補助器具とその構造が一部類似している既知の技術として、例えば特許文献１および特許文献２に開示されている避妊具がある。
【０００５】
特許文献１には、陰茎に装着されるコンドームの脱落を防止するために、陰茎に装着されたコンドームの上からコンドームを締め付け固定するためのリングが開示されている。
【０００６】
また、特許文献２には、性行為感染症を防止するために、陰茎に装着されるコンドームの開口部周辺に鍔状のカラーを設けたコンドームが開示されている。
【先行技術文献】
【特許文献】
【０００７】
【特許文献１】実開平５−３９５２５号公報
【特許文献２】特表２００５−５２７２６３号公報
【発明の概要】
【発明が解決しようとする課題】
【０００８】
上述したように、妊娠中に性行為を控え、もしくはコンドームを用いて性行為をすることによって、妊娠中の切迫早産等の危険性を低減することができる。しかしながら、陰茎の先端が子宮に対し物理的な刺激を与え、場合によっては子宮内に細菌等を誘導してしまう、という問題を解決する有効な手段が見当たらない。特に、妊娠中に性行為が行われる場合、例えコンドームが用いられたとしても子宮口を物理的に刺激して切迫早産等の深刻な問題を招きかねない、という点に関しては、人命に関する重要な問題であるため、手軽かつ確実にそのような問題を解決するための手段が強く望まれる。
【０００９】
本発明は、上述した事情に鑑み、性交時に子宮に対し陰茎により過度な物理的な刺激が与えられることを防止するための手軽かつ確実な手段を提供することを目的とする。
【課題を解決するための手段】
【００１０】
上記の課題を解決するため、本発明は、
性交時に陰茎の外側面上に装着される全周が連続した、もしくは全周の一部が不連続の環状体であって、
前記環状体は装着時における前記陰茎の長手方向の長さが最大の部分において１センチメートル以上であり、当該長手方向と垂直な方向における外縁の幅と前記陰茎の挿入を受容する孔の縁部である内縁の幅との差が最大の部分において１．５センチメートル以上である
性交補助器具
を提供する（第１の実施態様）。
【００１１】
上述の第１の実施態様において、
前記環状体は中空部を有する弾性体を少なくとも一部に備え、
前記中空部に空気が圧入されることにより膨張し、前記陰茎の挿入を受容する孔の直径が変化する
構成が採用されてもよい（第２の実施態様）。
【００１２】
また、上述の第１の実施態様において、
前記環状体は環状の弾性体と、前記環状の弾性体の外周上に配置されたベルトとを備え、
前記ベルトは周方向の長さを変更することにより前記環状の弾性体を外側から締め付ける締め付け機構を備える
構成が採用されてもよい（第３の実施態様）。
【００１３】
また、上述の第１乃至第３のいずれかの実施態様において、
全周の一部が不連続となるような切れ目を有する環状体である
構成が採用されてもよい（第４の実施態様）。
【００１４】
また、上述の第１乃至第３のいずれかの実施態様において、
前記陰茎の挿入を受容する孔の壁面である内側面上に、前記長手方向に延伸する溝を有する
構成が採用されてもよい（第５の実施態様）。
【００１５】
また、上述の第１乃至第５のいずれかの実施態様において、
前記長手方向に垂直な２つの端面のうち少なくとも一方の端面上に１以上の凸部または１以上の凹部を有する
構成が採用されてもよい（第６の実施態様）。
【００１６】
また、上述の第６の実施態様において、
前記長手方向に垂直な２つの端面の各々の上に１以上の凸部または１以上の凹部を有し、
前記２つの端面のうちの一の端面上に配置されている前記１以上の凸部または１以上の凹部は、当該一の端面に対向する位置に隣接して配置される同一形状の性交補助器具が有する端面上に配置されている１以上の凸部または１以上の凹部と互いに係合する形状および配置を有する
構成が採用されてもよい（第７の実施態様）。
【００１７】
また、本発明は、
一方の端部が開口し他方の端部が閉鎖されたチューブ状の弾性体であり、性交時に陰茎の先端部から根元方向に向かう所定の長さの領域を覆うように装着されるサック部と、
前記陰茎に装着された状態の前記サック部の外側面上に連結された上述の第１乃至第６のいずれかの実施態様にかかる性交補助器具と
を備える避妊器具
を提供する（第８の実施態様）。
【００１８】
また、上述の第８の実施態様において、
前記性交補助器具が、前記サック部の前記閉鎖された端部から所定距離だけ離れた位置において前記サック部に連結されている
構成が採用されてもよい（第９の実施態様）。
【発明の効果】
【００１９】
本発明の第１の実施態様にかかる性交補助器具によれば、性行為時にユーザが陰茎を環状体である当該性交補助器具の内側の孔に差し入れた後、陰茎の根元部に配置して当該性交補助器具を装着することにより、当該性交補助器具の陰茎の軸方向の長さ、すなわち性交補助器具の厚さだけ、膣に挿入可能な陰茎の長さが短くなる。従って、適当な厚さの性交補助器具を利用することにより、もしくは必要に応じて複数個の性交補助器具を使用することにより、性交時に陰茎の先端部が子宮口に衝突することを容易かつ確実に防止することができる。
【００２０】
本発明の第２の実施態様にかかる性交補助器具によれば、ユーザは例えば空気入れにより当該性交補助器具の内部に設けられた中空部に空気を圧入することにより、当該性交補助器具を膨張させ、その内側の孔の直径を小さくすることにより、ユーザの陰茎の直径に応じた適当なサイズとなるように当該性交補助器具のサイズを調整することができる。その結果、ユーザは当該性交補助器具が使用時に陰茎からずれる問題を回避することができる。
【００２１】
本発明の第３の実施態様にかかる性交補助器具によれば、ユーザは弾性体の外側面上に配置されたベルトの長さを調整することにより、陰茎に装着された弾性体を外側から適当な強さで締め付けることができる。その結果、ユーザは当該性交補助器具が使用時に陰茎からずれる問題を回避することができる。
【００２２】
本発明の第４の実施態様にかかる性交補助器具によれば、環状体の一部に切れ目が設けられているため、陰茎の裏側側面、すなわち陰茎の円周側面のうちユーザから見て下側に位置する側面に近い位置に陰茎の軸方向に延伸している尿道がその切れ目の間に位置するように当該性交補助器具を陰茎に装着することにより、精液の流路を確保することができる。
【００２３】
本発明の第５の実施態様にかかる性交補助器具によれば、環状体の内側側面に溝が設けられているため、陰茎の裏側側面、すなわち陰茎の円周側面のうちユーザから見て下側に位置する側面に近い位置に陰茎の軸方向に延伸している尿道がその溝に位置するように当該性交補助器具を陰茎に装着することにより、精液の流路を確保することができる。
【００２４】
本発明の第６の実施態様にかかる性交補助器具によれば、例えば装着時にユーザの陰茎の先端側に位置する端面上に設けられた凸部もしくは凹部により形成される凹凸により、性交時において女性の陰部に適当な刺激を与えることができる。
【００２５】
本発明の第７の実施態様にかかる性交補助器具によれば、その厚さを調整するために当該性交補助器具を複数同時に陰茎に装着する場合、互いに隣接する当該性交補助器具間を互いに対向する端面の各々に設けられた凹凸が互いに係合することにより、それらの性交補助器具を連結することができる。その結果、ユーザはそれらの複数の性交補助器具が陰茎の軸周りに個々に回転したり、互いに離れたりすることによる不快感を回避することができる。
【００２６】
本発明の第８の実施態様にかかる避妊器具によれば、上述した第１乃至第６のいずれかの実施態様にかかる性交補助器具により得られる効果に加え、精液の膣内への放出を回避することができる。従って、女性が妊娠していない時には避妊を行うことができ、また女性が妊娠中には精液による子宮への悪影響を回避することができる。
【００２７】
本発明の第９の実施態様にかかる避妊器具によれば、陰茎に対する装着時において、性交補助器具の配置位置よりさらに陰茎の根元側の部分をもサック部により覆うことができるため、例えば性交補助器具がサック部の開口側の端部に配置されている場合、すなわち性交補助器具より根元側の陰茎をサック部が覆わない場合と比較して、陰茎とサック部との接触面の面積が広く、より望ましい装着感を得ることができる。
【図面の簡単な説明】
【００２８】
【図１】図１は、本発明の第１実施形態にかかる性交補助器具の外観を模式的に示した斜視図である。
【図２】図２は、本発明の第１実施形態にかかる性交補助器具の使用時の様子を模式的に示した図である。
【図３】図３は、本発明の第１実施形態にかかる性交補助器具の変形例の外観を模式的に示した斜視図である。
【図４】図４は、本発明の第１実施形態にかかる性交補助器具の他の変形例の外観を模式的に示した斜視図である。
【図５】図５は、本発明の第２実施形態にかかる避妊器具の外観を模式的に示した図である。
【図６】図６は、本発明の第２実施形態にかかる避妊器具の一変形例の外観を模式的に示した斜視図である。
【図７】図７は、本発明の第２実施形態にかかる避妊器具の他の変形例の外観を模式的に示した斜視図である。
【発明を実施するための形態】
【００２９】
［１．第１実施形態］
以下に、本発明の第１実施形態にかかる性交補助器具１を説明する。性交補助器具１は、性交時に男性のユーザが陰茎の根元部分に１個または複数個、装着することにより、陰茎の膣への挿入の深さを浅く保ち、陰茎の先端が子宮に衝突することを防止するための器具である。
【００３０】
図１は、性交補助器具１の外観を模式的に示した斜視図である。性交補助器具１は例えば適度な弾性を有するシリコン樹脂等の弾性素材を環状体に成形したものである。性交補助器具１はその内側に陰茎の挿入を受容するための孔１１を有している。
【００３１】
孔１１の壁面、すなわち性交補助器具１の内側面上には、装着時における陰茎の軸方向（長手方向）に延伸する溝１２が設けられている。溝１２は、性交補助器具１が陰茎に装着される際、陰茎の裏側、すなわち陰茎の外周面上のうちユーザから見て下側に位置する側に配置されることにより、その中を尿道が通過し、性交補助器具１が精液の流路を圧迫することを防止する目的で設けられている。
【００３２】
性交補助器具１の装着時における陰茎の軸方向の２つの端面の各々の上には、凸部１３と凹部１４が設けられている。凸部１３および凹部１４は、２つの性交補助器具１をそれらの軸が一致するように隣接して配置した際に、互いに対向する端面上の凸部１３および凹部１４が係合するように、それらのサイズ、形状および配置位置が定められている。
【００３３】
例えば、図１に示される性交補助器具１の奥側の端面（図示されていない端面）上には、手前の端面上に配置されている凸部１３のちょうど裏側にあたる位置に凹部１４が、また手前の端面上に配置されている凹部１４のちょうど裏側にあたる位置に凸部１３が配置されている。
【００３４】
また、凸部１３と凹部１４の形状は凸か凹かの違いを除き概ね同じであるが、それらの大きさは凸部１３が凹部１４よりやや大きく構成されており、隣接した２つの性交補助器具１の端面上の凸部１３が、それに対向する位置に配置されている他方の性交補助器具１の凹部１４に嵌り込み、弾性により凹部１４を内側から押圧することにより、凸部１３と凹部１４が使用時に外れない程度に程良く係合する。
【００３５】
性交補助器具１のサイズはユーザの陰茎のサイズおよび性交相手の女性の膣の長さに応じた様々なサイズが準備される。ただし、性交補助器具１は陰茎の膣に対する挿入の深さを調節するという目的を達するためには、図１における性交補助器具１の外径Ｄは性交補助器具１の内径ｄより１．５センチメートル以上長いことが望ましい。この長さが短いと、性交補助器具１が膣内に入ってしまい、その目的を達しないおそれがあるためである。
【００３６】
なお、後述するように、性交補助器具１の端面の外縁および内縁（孔の縁部）の形状は円形に限られず、他の形状であってもよいが、その場合、軸方向に垂直な方向における外縁の幅と内縁の幅との差が最大の部分において１．５センチメートル以上であることが望ましい。
【００３７】
また、性交補助器具１の軸方向の長さ、すなわち図１における厚さＴは、やはり性交補助器具１の目的を達するためには、１センチメートル以上であることが望ましい。なお、厚さが場所により異なる場合は、それらの最大の厚さが１センチメートル以上であることが望ましい。厚さがそれより薄いと、例え内径ｄに対する外径Ｄの長さが十分であっても、性交補助器具１自体が倒れるように変形し、その役割を果たさないおそれがあるためである。
【００３８】
図２は、性交補助器具１の使用時の様子を模式的に示した図である。図２においては、例として、性交補助器具１が３個、連結された状態で陰茎に装着されている。例えば、厚さＴが１センチメートルの場合、連結された３個の性交補助器具１により陰茎の挿入が妨げられ、陰茎の挿入可能な深さは陰茎全体の長さより３センチメートル短くなる。従って、膣の長さが陰茎の長さから３センチメートルだけ減じた長さより長ければ、性行為時に陰茎の先端が子宮口に達することはない。その結果、陰茎の先端が子宮に衝突することにより生じる問題が回避される。
【００３９】
［２．第１実施形態の変形例］
上述した第１実施形態にかかる性交補助器具１は、本発明の技術的思想の範囲内において様々に変形可能である。以下にそのような変形の例を示す。
【００４０】
図３は、性交補助器具１の変形例の外観を模式的に示した斜視図である。図３（ａ）に示される性交補助器具２は、溝１２に代えて切れ目２２を備えている。すなわち、性交補助器具２を構成する環状体の周方向における全周の一部が不連続となっており、その不連続部が切れ目２２となっている。切れ目２２を備える性交補助器具２においても、切れ目２２の位置に尿道を配置するように性交補助器具２を陰茎に装着することによって、精液の流路を確保することができる。
【００４１】
このように、本願において、環状体とは、性交補助器具１のように周方向の全周が連続している形状に限られず、性交補助器具２のように周方向の一部が不連続であっても、陰茎の少なくとも円周の半分以上を囲い込む形状を全て含む広い概念を意味する。
【００４２】
図３（ｂ）に示される性交補助器具３は、その端面の外縁の形状が円形ではなく、例としてハート型となるように環状体が成形されている。このような形状とすることにより、本発明にかかる性交補助器具にデザイン性を持たせることができるとともに、その形状によっては、上下方向の位置を容易に確認することができる。なお、端面の外縁の形状は円形およびハート型に限られず、例えば星型など、様々な形状が採用可能である。
【００４３】
このように、本願において、環状体とは、その端面の外縁および内縁の形状が円形のものに限られず、例えば外縁に関してはハート型、星型など円形以外の形状であってもよいし、また内縁に関しては溝１２を設けるなどにより、やはり円形以外の形状であってもよく、上述したように、陰茎の少なくとも円周の半分以上を囲い込む形状を全て含む広い概念である。
【００４４】
また、図には示されていないが、性交補助器具の素材やその表面に着色を施すことにより、色や模倣によるデザイン性を高めてもよい。
【００４５】
さらに、性交補助器具の装着時における軸方向の断面の形状は単一である必要はなく、いわゆる外側面上に凹凸を持たせ、デザイン性を高めてもよい。また、外側面上に着色を施すことによりデザイン性を高めてもよい。
【００４６】
図３（ｃ）に示される性交補助器具４は、その端面上に多数の凸部４３および多数の凹部４４が設けられている。これらの凹凸は、性交時に女性器の表面に押圧されることで、適度な刺激を与えるようにその配置、形状、サイズ、および数が定められている。これにより、より快適な性行為が可能となる。
【００４７】
なお、凸部４３および凹部４４は装着時に女性器に対向する側の端面上にのみ設けられていてもよいし、表裏の別をなくすために、両側の端面の各々の上に設けられていてもよい。
【００４８】
また、両方の端面上に凸部４３および凹部４４が設けられている場合、それらが性交補助器具１における凸部１３および凹部１４と同様に、隣接した２つの性交補助器具４の互いに対向する端面上で互いに係合するように配置されていてもよい。その場合、２以上の性交補助器具４を連結することが可能となり、陰茎の挿入の深さを調整するために２以上の性交補助器具４を同時に使用する際に、それらが互いにずれることなく望ましい。
【００４９】
ところで、上述した性交補助器具１およびその変形例である性交補助器具２、性交補助器具３および性交補助器具４はいずれも、陰茎の挿入を受容する孔１１の直径、すなわち図１における内径ｄの大きさを調整する機能は持たず、ユーザによって異なる陰茎の直径の各々に適用可能なように、例えば２ミリメートル刻みで異なる多数のサイズのものが予め準備され、それらからユーザが自分に適するサイズのものを選択して使用する、ということが想定されている。なお、ユーザは性交補助器具の素材が有する弾性を考慮して、自分の陰茎の直径よりやや小さい内径のサイズを選択することになる。
【００５０】
これに対し、図４には、性交補助器具１の他の変形例として、内径ｄの大きさを調整する機能を備えた性向補助器具の模式的な斜視図が示されている。図４（ａ）に示される性交補助器具５は、その内部に、例えばドーナツ形状の中空部５５が設けられている。なお、図４（ａ）の右の図は図４（ａ）の左の図に示される矢印ｃ方向に性交補助器具５を切断した場合の断面を模式的に示している。中空部５５は、図示せぬ経路により外部に対し開口しており、その経路の開口部には空気栓５６が配置されている。空気栓５６は、外部から圧入される空気の圧力により内側に開くが、内部からの圧力により外側には開かない弁を有しており、当該弁が閉じている状態で中空部５５を外部に対し密封する。ただし、空気栓５６が備える弁は、例えば図４（ａ）において矢印ｘで示される厚さ方向に押圧を受けると開く。
【００５１】
ユーザは、例えば性交補助器具５を陰茎に装着した後、空気入れ９９を用いて空気栓５６から中空部５５に対し空気を圧入することで、性交補助器具５を内部から膨張させ、内径ｄを小さくし、性交補助器具５を陰茎に適度にフィットさせることができる。
【００５２】
ユーザは使用後、矢印ｘの方向に押圧を加え中空部５５内の空気を抜くことで内径ｄを大きくして、性交補助器具５による陰茎の締め付けを緩めた後、性交補助器具５を陰茎から取り外す。
【００５３】
図４（ｂ）に示される性交補助器具６は、シリコン等の弾性素材を成形した環状体の外周上にベルト６７が配置されている。ベルト６７の一方の端部付近の表面には、例えば周方向に対し垂直に延伸する畝状の凸部が１ミリメートル毎に平行に設けられている。性交補助器具６の外周上には、上述の畝状の凸部が設けられているベルト６７の端部付近の挿入を受容し、挿入されたベルト６７を締め付けることによりその位置で固定する固定具６８が配置されている。なお、ベルト６７上に設けられている畝状の凸部は、固定具６８による位置決めを確実にするために設けられている。
【００５４】
固定具６８は、例えばベルト６７が環状体を締め付ける方向、すなわち図４（ｂ）における矢印ｙの方向に移動する場合にはその移動を許容し、ベルト６７が矢印ｙと逆の方向に移動する場合にはその移動を行わせないようにロックする。ただし、固定具６８は、例えば図４（ｂ）において矢印ｚで示される厚さ方向に押圧を受けると、そのロックをリリースする。
【００５５】
ユーザは、例えば性交補助器具６を陰茎に装着した後、ベルト６７の端部を引っ張ってその周方向の長さを短くすることで、ベルト６７により環状体を締め付ける。固定具６８はその位置でベルト６７をロックする。これにより、ユーザは内径ｄを小さくし、性交補助器具６を陰茎に適度にフィットさせることができる。
【００５６】
ユーザは使用後、矢印ｚの方向に押圧を加え固定具６８によるベルト６７のロックをリリースし内径ｄを大きくして、性交補助器具６による陰茎の締め付けを緩めた後、性交補助器具６を陰茎から取り外す。
【００５７】
なお、ベルト６７と固定具６８の構造は上述したものに限られず、ベルトをユーザが容易に締めたり緩めたりすることを可能とする構造のものであればいずれのものが採用されてもよい。例えば、環状体の本体から放射方向外側に突起するピンを設けておき、先端付近に周方向に等間隔に孔を開けたベルトの適当な孔にそのピンを挿入してベルトを望ましい周方向の長さで固定する締め付け機構などが他の例として考えられる。
【００５８】
ところで、上述した性交補助器具１およびその変形例は、例えば厚さ１センチメートルの同じ形状の性交補助器具を必要に応じて連結して用いることが想定されているが、様々な厚さの性交補助器具を準備しておき、ユーザがそれらの中から適当な厚さのものを１つ選択して用いるようにしてもよい。その場合、連結のための凸部１３および凹部１４は不要となる。
【００５９】
［３．第２実施形態］
以下に、本発明の第２実施形態にかかる避妊器具７を説明する。避妊器具７は、上述した本発明にかかる性交補助器具に対し、コンドームの機能を加えたものである。
【００６０】
図５は、避妊器具７の外観を模式的に示した図である。避妊器具７は既存のコンドームと同様に一方の端部が開口し、他方の端部が閉鎖された薄いシリコンゴム等の弾性素材でできたチューブ状のサック部７９と、サック部７９の軸方向の中腹部（サック部７９の軸方向の中間位置とは限られない）の外側面上に性交補助器具１が連結された構造を備えている。ただし、避妊器具７が備える性交補助器具１には連結のための凸部１３および凹部１４は不要のため設けられていない。
【００６１】
なお、サック部７９と性交補助器具１との連結の方法は、例えば一体成型によるがそれに限られず、接着剤による接着や熱溶着などの他の方向が採用されてもよい。
【００６２】
図５に示されるように、避妊器具７においてサック部７９の先端部、すなわち閉鎖された端部から離所定の距離の位置に固定されている性交補助器具１により、性交時における陰茎の挿入の深さが制限される。すなわち、図５における長さＬが膣に挿入される陰茎の長さとなる。従って、ユーザは膣の長さより短い長さＬに性交補助器具１が配置された避妊器具７を選択し陰茎に装着することにより、性交時に陰茎の先端が子宮口に達することを防止することができる。
【００６３】
なお、第１実施形態にかかる性交補助器具においては、陰茎の根元部分に性交補助器具が固定され、その厚さにより挿入の深さが決定される。これに対し、避妊器具７においては、装着時にサック部７９の閉鎖された端部が陰茎の先端に固定され、サック部７９により性交補助器具１の陰茎の軸方向における位置決めが行われる。従って、避妊器具７の使用時に性交補助器具１は必ずしも陰茎の根元に配置されるわけではなく、通常は図５に示されるように、陰茎の軸方向の中腹に配置されることになる。
【００６４】
避妊器具７によれば、性行為時に陰茎の先端が子宮に達することが防止されるとともに、精液の膣内に対する放出が防止される。従って、女性が妊娠していない場合には避妊の目的が達せられ、女性が妊娠している場合には精液による子宮収縮といった望ましくない状況を招く危険性が低減される。
【００６５】
［４．第２実施形態の変形例］
上述した第２実施形態にかかる避妊器具７は、本発明の技術的思想の範囲内において様々に変形可能である。以下にそのような変形の例を示す。
【００６６】
図６は、避妊器具７の一変形例の外観を模式的に示した斜視図である。図６に示される避妊器具８は、避妊器具７が備えるサック部７９に代えて、サック部７９より長手方向の長さが短いサック部８９を備えている。サック部８９の長さは陰茎の挿入の深さであり、サック部８９の開口している端部の外縁外側に性交補助器具１が連結されている。そのため、図６に示されるように、避妊器具８が陰茎に装着された状態において、陰茎の根元側の一部はサック部８９により覆われない。
【００６７】
避妊器具８によっても、装着時に陰茎の中腹に配置される性交補助器具１により陰茎の挿入の深さが制限されるため、避妊器具７と同様の効果を得ることができる。なお、避妊器具８は避妊器具７と比較してサック部と陰茎との接触面の面積が狭いため、装着時のフィット感が少ない、使用時に避妊器具８が陰茎からずれやすい、といった短所を持つ場合もあるが、その一方で装着がより簡易である、製造が容易となりコスト安となる、といった長所を持つ場合がある。
【００６８】
図７は、避妊器具７の他の変形例の外観を模式的に示した斜視図である。図７に示される避妊器具９は、避妊器具７が備える性交補助器具１に代えて、厚さがサック部７９に連結されている部分から放射方向外側に向かうに従い薄くなる形状の性交補助器具９１を備えている。
【００６９】
避妊器具においては、性交補助器具がサック部に連結されているため、複数個の性交補助器具を連結使用する必要がなく、そのため、性交補助器具がサック部に連結されている部分においてはしっかりとした位置決めのためにその厚さを厚くし、性交補助器具の外周部においては陰茎の挿入を制限するに十分な厚さがあれば、むしろその厚さが薄い方が素材の節約や重さの軽量化等の点で望ましい。避妊器具９はそのようなメリットをもたらす形状の性交補助器具９１が採用された避妊器具の一例である。
【００７０】
なお、上述した避妊器具７およびその変形例である避妊器具８においては、性交補助器具１が性交補助器具として用いられているが、第１実施形態の変形例で述べたような他の構造の性交補助器具（例えば、性交補助器具２、性交補助器具３、性交補助器具４、性交補助器具５および性交補助器具６）のいずれが用いられてもよい。
【００７１】
以上説明した第１実施形態もしくはその変形例にかかる性交補助器具、また第２実施形態もしくはその変形例にかかる避妊器具に関し述べた形状、素材、サイズ等はあくまで例示であって、それらにより本発明が限定的に解釈されるべきではない。例えば、溝１２を半円柱形状とする代わりに矩形柱形状としたり、性交補助器具や避妊器具の弾性体の素材として天然ゴムやウレタンゴムなど、シリコン樹脂以外の素材を用いたりするなど、様々な変更が可能であるが、それらは全て本発明の技術的思想の範囲内に含まれる。
【産業上の利用可能性】
【００７２】
本発明にかかる性交補助器具および避妊器具は、量産可能であり製造業において利用可能であるとともに、広く一般消費者に対し販売されるため、卸売業や小売業を含むサービス業においても広く利用可能である。
【符号の説明】
【００７３】
１…性交補助器具、２…性交補助器具、３…性交補助器具、４…性交補助器具、５…性交補助器具、６…性交補助器具、７…避妊器具、８…避妊器具、９…避妊器具、１１…孔、１２…溝、１３…凸部、１４…凹部、２２…切れ目、４３…凸部、４４…凹部、５５…中空部、５６…空気栓、６７…ベルト、６８…固定具、７９…サック部、８９…サック部、９１…性交補助器具、９９…空気入れ
【図１】
2012139440.tif 000003
【図２】
2012139440.tif 000004
【図３】
2012139440.tif 000005
【図４】
2012139440.tif 000006
【図５】
2012139440.tif 000007
【図６】
2012139440.tif 000008
【図７】
2012139440.tif 000009